(57)【要約】【課題】コストの大幅な上昇を招くことなく、通信に使用する周波数帯域を簡単に切り換えることができるモービル用アンテナ装置を提供する。【解決手段】線状のアンテナ１と、アンテナの一端に一端２ａが接続された短縮コイル２とを備えたモービル用アンテナ装置において、短縮コイル２からｎ（ｎは１以上の整数）個のタップが引き出され、ｎ個のタップにそれぞれｎ個のタップ側コネクタ４１〜４５が接続されている。またタップ側コネクタ４１〜４５に選択的に接続されるタップ選択用コネクタ５が短縮コイル２の他端２ｂにタップ選択用ケーブル６を介して接続されている。タップ選択用コネクタ５を接続するタップ側コネクタを選択することにより、使用する周波数帯域を切り換える。【選択図】    図１
0003177459.tif 000002
【実用新案登録請求の範囲】
【請求項１】
線状のアンテナと、一端が前記アンテナの一端に接続されることにより前記アンテナに直列に接続された短縮コイルとを備え、前記短縮コイルの他端が給電点となっているモービル用アンテナ装置であって、
前記短縮コイルにｎ（ｎは１以上の整数）個のタップが設けられ、
前記ｎ個のタップの中から選択した一つのタップを前記短縮コイルの他端に接続するタップ選択用接続手段が設けられ、
前記タップ選択用接続手段を通して前記短縮コイルの他端に接続するタップを切り換えることにより、前記アンテナに直列に接続される短縮コイルの有効ターン数を切り換えて、使用する周波数帯域を切り換えるように構成されていること、
を特徴とするモービル用アンテナ装置。
【請求項２】
線状のアンテナと、一端が前記アンテナの一端に接続されることにより前記アンテナに直列に接続された短縮コイルとを備え、前記短縮コイルの他端が給電点となっているモービル用アンテナ装置であって、
前記短縮コイルにｎ（ｎは１以上の整数）個のタップが設けられ、
前記ｎ個のタップの中から選択した一つのタップを前記短縮コイルの一端に接続するタップ選択用接続手段が設けられ、
前記短縮コイルの一端に接続するタップを切り換えることにより、前記アンテナに直列に接続される短縮コイルの有効ターン数を切り換えて、使用する周波数帯域を切り換えるように構成されていること、
を特徴とするモービル用アンテナ装置。
【請求項３】
線状のアンテナと、一端が前記アンテナの一端に接続されることにより前記アンテナに直列に接続された短縮コイルとを備え、前記短縮コイルの他端が給電点となっているモービル用アンテナ装置であって、
前記短縮コイルにｎ（ｎは１以上の整数）個のタップが設けられて、前記ｎ個のタップにそれぞれｎ個のタップ側コネクタが接続され、
前記ｎ個のタップ側コネクタに選択的に接続されるタップ選択用コネクタが前記短縮コイルの他端にタップ選択用ケーブルを介して接続され、
前記タップ選択用ケーブルは、前記タップ選択用コネクタを前記ｎ個のタップ側コネクタのいずれにも接続し得る長さを有し、
前記タップ選択用コネクタを接続するタップ側コネクタを切り換えることにより、前記アンテナに直列に接続される短縮コイルの有効ターン数を切り換えて、使用する周波数帯域を切り換えるように構成されていること、
を特徴とするモービル用アンテナ装置。
【請求項４】
線状のアンテナと、一端が前記アンテナの一端に接続されることにより前記アンテナに直列に接続された短縮コイルとを備え、前記短縮コイルの他端が給電点となっているモービル用アンテナ装置であって、
前記短縮コイルにｎ（ｎは１以上の整数）個のタップが設けられて、前記ｎ個のタップにそれぞれｎ個のタップ側コネクタが接続され、
前記ｎ個のタップ側コネクタに選択的に接続されるタップ選択用コネクタが前記短縮コイルの一端にタップ選択用ケーブルを介して接続され、
前記タップ選択用ケーブルは、前記タップ選択用コネクタを前記ｎ個のタップ側コネクタのいずれにも接続し得る長さを有し、
前記タップ選択用コネクタを接続するタップ側コネクタを切り換えることにより、前記アンテナに直列に接続される短縮コイルの有効ターン数を切り換えて、使用する周波数帯域を切り換えるように構成されていること、
を特徴とするモービル用アンテナ装置。
【請求項５】
アンテナ装置の設置箇所に固定されるアンテナサポート用コネクタに着脱可能に接続されるベースコネクタと、該ベースコネクタに下端が固定された絶縁材料からなる心棒とが設けられて、該心棒の外周に前記短縮コイルが巻回され、
前記心棒の上端に前記アンテナの一端が固定されて、該アンテナの一端が前記短縮コイルの一端に電気的に接続されるとともに、前記ベースコネクタに前記短縮コイルの他端が電気的に接続され、
前記心棒及び短縮コイルと、前記アンテナの短縮コイル寄りの端部と、前記ベースコネクタの外周部とが熱収縮チューブ内に挿入されて、該熱収縮チューブが熱収縮されることにより、該熱収縮チューブ内に挿入された部分を覆う絶縁被覆が構成され、
前記短縮コイルに設けられたｎ個のタップはそれぞれ、前記絶縁被覆を液密に貫通したｎ本のタップ引出し線を通して外部に引き出されて、前記ｎ個のタップ側コネクタに接続されていること、
を特徴とする請求項３又は４に記載のモービル用アンテナ装置。
【請求項６】
アンテナ装置の設置箇所に固定されるアンテナサポート用コネクタに着脱可能に接続されるベースコネクタと、該ベースコネクタに下端が固定された絶縁材料からなる心棒とが設けられて、該心棒の外周に前記短縮コイルが巻回され、
前記心棒の上端に前記アンテナの一端が固定されて、該アンテナの一端が前記短縮コイルの一端に電気的に接続されるとともに、前記ベースコネクタに前記短縮コイルの他端が電気的に接続され、
前記心棒及び短縮コイルと、前記アンテナの短縮コイル寄りの端部と、前記ベースコネクタの外周部とが熱収縮チューブ内に挿入されて、該熱収縮チューブが熱収縮されることにより、該熱収縮チューブ内に挿入された部分を覆う絶縁被覆が構成され、
前記ｎ個のタップ側コネクタは、前記絶縁被覆に添わせた状態で配置されて前記心棒に対して固定された端子板に取り付けられ、
前記短縮コイルに設けられたｎ個のタップはそれぞれ、前記絶縁被覆を貫通した接続導体を通して前記ｎ個のタップ側コネクタに接続されていること、
を特徴とする請求項３又は４に記載のモービル用アンテナ装置。
【請求項７】
アンテナ装置の設置箇所に固定されるアンテナサポート用コネクタに着脱可能に接続されるベースコネクタと、該ベースコネクタに下端が固定された絶縁材料からなる心棒とが設けられて、該心棒の外周に前記短縮コイルが巻回され、
前記心棒の上端に前記アンテナの一端が固定されて、該アンテナの一端が前記短縮コイルの一端に電気的に接続されるとともに、前記ベースコネクタに前記短縮コイルの他端が電気的に接続され、
前記心棒及び短縮コイルと、前記アンテナの短縮コイル寄りの端部と、前記ベースコネクタとが筒状の絶縁ケース内に挿入され、
前記ｎ個のタップ側コネクタは、前記絶縁ケースの周壁部を貫通した状態で設けられて該ケースに対して固定され、
前記短縮コイルに設けられたｎ個のタップはそれぞれ、前記絶縁ケースの内側で前記ｎ個のタップ側コネクタに接続されていること、
を特徴とする請求項３又は４に記載のモービル用アンテナ装置。
【請求項８】
前記タップ選択用ケーブルは、前記短縮コイルの他端にコネクタを介して接続されている請求項１ないし７のいずれかに記載のモービル用アンテナ装置。
【請求項９】
前記アンテナは、ワイヤアンテナである請求項１ないし８の何れか一つに記載のモービル用アンテナ装置。
【請求項１０】
前記アンテナはホイップアンテナである請求項１ないし８の何れか一つに記載のモービル用アンテナ装置。
【考案の詳細な説明】
【技術分野】
【０００１】
本考案は、自動車や船舶等に搭載されるモービル局に用いるアンテナ装置に関するものである。
【背景技術】
【０００２】
無線通信に用いるアンテナとして、使用する周波数帯域の中心周波数の波長λの１／２や１／４等の長さを有する線状のアンテナが多く用いられているが、通信に用いる周波数帯域の電波の波長が長い場合には、アンテナにλ／２やλ／４の長さを持たせると、アンテナの長さが長くなりすぎて、自動車や小形の船舶等に装着することが困難になる。そのため、モービル局に用いるアンテナ装置としては、ワイヤアンテナやホイップアンテナに短縮コイルを直列に接続して、アンテナの長さを短縮したものが用いられている。
【先行技術文献】
【非特許文献】
【０００３】
【非特許文献１】ＣＱ出版社  １９８５年２月２８日発行  ２０１１年７月１日第３０版発行  ダイナミック・ハムシリーズ「アンテナ・ハンドブック」第２５９頁〜第２７６頁
【考案の概要】
【考案が解決しようとする課題】
【０００４】
ホイップアンテナやワイヤアンテナ等の線状のアンテナに短縮コイルを直列に接続したアンテナ装置を用いて運用されるモービル局においては、使用する周波数帯域毎に専用の短縮コイルを用意しておいて、必要に応じて短縮コイルを交換することにより、使用する周波数帯域を切り換えるようにしていた。
【０００５】
しかしながら、モービル通信においては、使用する周波数帯域の数が多い上に、電波の状況に応じて通信に使用する周波数帯域を適宜切り換える必要があるため、周波数帯域毎に短縮コイルを用意しておくのはきわめて不経済であり、また周波数帯域を切り換える毎に短縮コイルを交換するのは甚だ面倒であった。
【０００６】
本考案の目的は、コストの大幅な上昇を招くことなく、周波数帯域の切替を容易に行うことができるようにしたモービル用アンテナ装置を提供することにある。
【課題を解決するための手段】
【０００７】
本考案は、線状のアンテナと、一端がアンテナの一端に接続されることによりアンテナに直列に接続された短縮コイルとを備えて、短縮コイルの他端が給電点となっているモービル用アンテナ装置を対象とする。
【０００８】
本考案においては、短縮コイルにｎ（ｎは１以上の整数）個のタップを設けるとともに、ｎ個のタップの中から選択した一つのタップを短縮コイルの他端に接続するタップ選択用接続手段を設けて、短縮コイルの他端（給電点）に接続するタップを切り換えることにより、アンテナに直列に接続される短縮コイルの有効ターン数を切り換えて、通信に使用する周波数帯域を切り換えることができるようにした。
【０００９】
上記のように構成しておくと、短縮コイルの他端に接続するタップを切り換えるだけで、通信に使用する周波数帯域を切り換えることができるため、周波数帯域の切替を簡単に行うことができる。また周波数帯域毎に短縮コイルを用意しておく必要がないため、大幅なコストの上昇を招くことがない。
【００１０】
上記の態様では、ｎ個のタップの中から選択した一つのタップを、タップ選択用接続手段を通して短縮コイルの他端（給電点となる端部）に接続するようにしたが、ｎ個のタップの中から選択した一つのタップを、タップ選択用接続手段を通して短縮コイルの一端（給電点と反対側の端部）に接続するように構成してもよい。
【００１１】
本考案の好ましい態様では、短縮コイルにｎ（ｎは１以上の整数）個のタップが設けられて、ｎ個のタップにそれぞれｎ個のタップ側コネクタが接続され、ｎ個のタップ側コネクタに選択的に接続されるタップ選択用コネクタが短縮コイルの他端（給電点）にタップ選択用ケーブルを介して接続される。タップ選択用ケーブルは、タップ選択用コネクタをｎ個のタップ側コネクタのいずれにも接続し得る長さを有し、タップ選択用コネクタを接続するタップ側コネクタを切り換えることにより、アンテナに直列に接続される短縮コイルの有効ターン数を切り換えて、使用する周波数帯域を切り換えるように構成される。本態様では，タップ選択用コネクタとタップ選択用ケーブルとにより、ｎ個のタップの中から選択した一つのタップを、短縮コイルの他端（給電点）に接続するタップ選択用接続手段が構成される。
【００１２】
本考案の他の好ましい態様では、短縮コイルにｎ（ｎは１以上の整数）個のタップが設けられて、ｎ個のタップにそれぞれｎ個のタップ側コネクタが接続され、ｎ個のタップ側コネクタに選択的に接続されるタップ選択用コネクタが短縮コイルの一端にタップ選択用ケーブルを介して接続される。この場合も、タップ選択用ケーブルは、タップ選択用コネクタをｎ個のタップ側コネクタのいずれにも接続し得る長さを有し、タップ選択用コネクタを接続するタップ側コネクタを切り換えることにより、アンテナに直列に接続される短縮コイルの有効ターン数を切り換えて、使用する周波数帯域を切り換えるように構成される。
【００１３】
上記のように構成しておくと、タップ選択用コネクタとタップ側コネクタとの接続を切り換えるだけで、通信に使用する周波数帯域を切り換えることができるため、周波数帯域の切替を簡単に行うことができる。またタップを切り換え接続するための構成の簡素化を図ることができるため、コストの低減を図ることができる。
【００１４】
本考案の好ましい態様では、アンテナ装置の設置箇所に固定されるアンテナサポート用コネクタに着脱可能に接続されるベースコネクタと、該ベースコネクタに下端が固定された絶縁材料からなる心棒とが設けられて、該心棒の外周に短縮コイルが巻回される。また心棒の上端にアンテナの一端が固定されて、該アンテナの一端が短縮コイルの一端に電気的に接続されるとともに、ベースコネクタに短縮コイルの他端が電気的に接続される。更に、心棒及び短縮コイルと、アンテナの短縮コイル寄りの端部と、ベースコネクタの外周部とが熱収縮チューブ内に挿入され、該熱収縮チューブが熱収縮されることにより、該熱収縮チューブ内に挿入された部分を覆う絶縁被覆が構成される。短縮コイルに設けられたｎ個のタップはそれぞれ、絶縁被覆を液密に貫通したｎ本のタップ引出し線を通して外部に引き出されて、ｎ個のタップ側コネクタに接続される。
【００１５】
上記のように構成すると、短縮コイルの外装を簡素なものとすることができるため、コストの低減を図ることができる。
【００１６】
上記の構成では、短縮コイルに設けられたｎ個のタップをそれぞれ絶縁被覆を液密に貫通したｎ本のタップ引出し線を通して外部に引き出してｎ個のタップ側コネクタに接続するようにしたが、絶縁被覆に添わせた状態で配置されて心棒に対して固定された端子板を設けて、この端子板にｎ個のタップ側コネクタを取り付けるようにしてもよい。この場合、短縮コイルに設けられたｎ個のタップはそれぞれ、絶縁被覆を貫通した接続導体を通してｎ個のタップ側コネクタに接続される。
【００１７】
上記の構成では、心棒及び短縮コイルと、アンテナの短縮コイル寄りの端部と、ベースコネクタとを、熱収縮チューブにより覆うようにしたが、心棒及び短縮コイルと、アンテナの短縮コイル寄りの端部と、ベースコネクタとを筒状の絶縁ケース内に挿入する構造としてもよい。このように絶縁ケースを設ける場合には、ｎ個のタップ側コネクタを、絶縁ケースの周壁部を貫通した状態で設けて該ケースに対して固定する。また短縮コイルに設けられたｎ個のタップはそれぞれ、絶縁ケースの内側でｎ個のタップ側コネクタに接続する。
【００１８】
上記の各態様において、タップ選択用ケーブルは、短縮コイルの他端にコネクタを介して接続するようにしてもよい。
【００１９】
短縮コイルに直列に接続される線状のアンテナとしては、ワイヤアンテナや、ホイップアンテナを用いることができる。アンテナとしてワイヤアンテナを用いると、自動車や小形船舶等への装着を容易にすることができる。
【考案の効果】
【００２０】
本考案においては、短縮コイルに複数のタップを設けて、これらのタップから選択した一つのタップを短縮コイルの一端又は他端に切換え接続することにより、通信に使用する周波数帯域を切り換えるようにしたので、短縮コイルを交換することなく、短縮コイルの一端又は他端に接続するタップを切り換えるだけで、通信に使用する周波数帯域を切り換えることができる。従って、周波数帯域の切替を簡単に行うことができ、また周波数帯域毎に短縮コイルを用意しておく必要がないため、大幅なコストの上昇を招くことがなく、マルチバンド化したモービル用アンテナ装置を得ることができる。
【００２１】
特に請求項３，４，５，６又は７に記載された考案によれば、タップ選択用コネクタとタップ側コネクタとの接続を切り換えるだけで、通信に使用する周波数帯域を切り換えることができるため、周波数帯域の切替を簡単に行うことができる。またタップを切り換え接続するための構成の簡素化を図ることができるため、コストの低減を図ることができる。
【００２２】
また請求項５又は６に記載された考案によれば、短縮コイルの外装を簡素なものとすることができるため、コストの低減を図ることができる。
【００２３】
請求項７に記載された考案によれば、短縮コイルが絶縁ケース内に収容されるので、短縮コイル部分の機械的強度を高めて耐久性を向上させることができる。
【図面の簡単な説明】
【００２４】
【図１】本考案の一実施形態の構成を概略的に示した構成図である。
【図２】図１に示したアンテナ装置の短縮コイルが設けられる基端部付近の構成例を示した断面図である。
【図３】本考案に係るアンテナ装置を自動車に取り付けた状態の一例を示した側面図である。
【図４】本考案の他の実施形態の構成を概略的に示した構成図である。
【図５】図１に示したアンテナ装置の短縮コイルが設けられる基端部付近の他の構成例を示した断面図である。
【図６】図１に示したアンテナ装置の短縮コイルが設けられる基端部付近の更に他の構成例を示した断面図である。
【図７】図１に示したアンテナ装置の短縮コイルが設けられる基端部付近の更に他の構成例を示した断面図である。
【考案を実施するための形態】
【００２５】
以下図面を参照して、本考案の実施形態を詳細に説明する。
図１は、本考案の一実施形態の構成を示したもので、同図において、１は柔軟性を有する絶縁被覆電線からなるワイヤアンテナ、２は短縮コイルである。短縮コイル２は、線状の導体をコイル状に巻回したもので、アンテナ１の一端に短縮コイル２の一端２ａが接続されることにより、アンテナ１と短縮コイル２とが直列に接続されている。アンテナ１と短縮コイル２とによりアンテナ装置が構成され、短縮コイル２の他端２ｂがアンテナ装置の給電点となっている。
【００２６】
本考案においては、短縮コイル２にｎ（ｎは１以上の整数）個のタップが設けられる。また、ｎ個のタップの中から選択した一つのタップを短縮コイル２の他端２ｂに接続するタップ選択用接続手段７が設けられ、タップ選択用接続手段７を通して短縮コイル２の他端（給電点）２ｂに接続するタップを切り換えることにより、アンテナに直列に接続される短縮コイルの有効ターン数を切り換えて、通信に使用する周波数帯域を切り換える。
【００２７】
図示の例では、短縮コイル２に５個のタップ２１ないし２５が設けられ、タップ２１ないし２５にそれぞれタップ引出し線３１ないし３５を通してタップ側コネクタ４１ないし４５が接続されている。また５個のタップ側コネクタ４１ないし４５に選択的に接続されるタップ選択用コネクタ５が短縮コイル２の他端２ｂにタップ選択用ケーブル６を介して接続されている。タップ選択用ケーブル６は、タップ選択用コネクタを５個のタップ側コネクタ４１ないし４５のいずれにも接続し得る長さを有し、タップ選択用コネクタ５を接続するタップ側コネクタを切り換えることにより、アンテナ１に直列に接続される短縮コイルの有効ターン数を切り換えて、使用する周波数帯域を切り換えるように構成されている。本実施形態では、タップ選択用コネクタ５とタップ選択用ケーブル６とにより、５個のタップ２１ないし２５の中から選択した一つのタップを短縮コイル２の他端２ｂに接続するタップ選択用接続手段７が構成されている。
【００２８】
本実施形態では、いずれのタップも選択しないときに（短縮コイル２の全体をアンテナ１に直列に接続したときに）通信に使用する周波数帯域を１ＭＨｚとし、タップ２１，２２，２３，２４及び２５をそれぞれ選択することにより、通信に使用する周波数帯域を、３．５ＭＨｚ，７ＭＨｚ，１４ＭＨｚ，２１ＭＨｚ及び２８ＭＨｚに切り換えることができるように、タップ２１ないし２５が設けられている。
【００２９】
このように構成するには、いずれのタップも選択せずに、アンテナ１と短縮コイル全体とを直列に接続したときに、アンテナ装置の共振周波数が１ＭＨｚに等しくなるように短縮コイル２全体のインダクタンスを設定しておき、タップ２１，２２，２３，２４及び２５をそれぞれ選択して、タップ２１，２２，２３，２４及び２５のそれぞれと短縮コイル２の一端２ａとの間の部分をアンテナ１に直列に接続したときに、アンテナ装置の共振周波数がそれぞれ３．５ＭＨｚ，７ＭＨｚ，１４ＭＨｚ，２１ＭＨｚ及び２８ＭＨｚに等しくなるようにタップ２１，２２，２３，２４及び２５のそれぞれと短縮コイル２の一端２ａとの間のコイル部分のインダクタンスを設定しておけばよい。
【００３０】
短縮コイル２の他端２ｂ（給電点）は、一端が無線通信機８の非接地側のアンテナ端子に接続された同軸ケーブル９の中心導体の他端に接続されている。同軸ケーブル９のシールド被覆の一端は無線通信機８の接地側のアンテナ端子に接続され、該シールド被覆の他端は、短縮コイルを支持する部材に設けられた接地電位部に接続されている。
【００３１】
上記短縮コイル２は、アンテナ装置の基端部に組み込まれて、自動車の車体等に固定される。図２は、本実施形態のアンテナ装置の基端部２００の構成例を示したもので、この例では、アンテナ装置の設置箇所に固定されるアンテナサポート用コネクタ２０１に着脱可能に接続されるベースコネクタ２０２と、該ベースコネクタに下端が固定された絶縁材料からなる心棒２０３とが設けられ、心棒２０３の外周に短縮コイル２が巻回されている。心棒２０３の上端にアンテナ１の一端が固定されて、該アンテナの一端が短縮コイル２の一端に電気的に接続されている。心棒２０３は中実でもよく、中空でもよい。
【００３２】
ベースコネクタ２０２は、キャップ状に形成されたコネクタシェル２０２ａと、シェル２０２ａの中心部に該シェルに対して絶縁された状態で設けられた雄型コンタクト２０２ｂとを備えていて、雄型コンタクト２０２ｂに短縮コイル２の他端２ｂが電気的に接続されている。そして、心棒２０３及び短縮コイル２と、アンテナ１の短縮コイル２寄りの端部付近と、ベースコネクタ２０２の外周部とが熱収縮チューブ２０４内に挿入され、該熱収縮チューブが熱収縮されることにより、該熱収縮チューブ内に挿入された部分を覆う絶縁被覆が構成されている。
【００３３】
短縮コイル２に設けられたタップ２１ないし２５はそれぞれ、熱収縮チューブ２０４からなる絶縁被覆を液密に貫通した５本のタップ引出し線３１ないし３５を通して外部に引き出されて、タップ側コネクタ４１ないし４５に接続されている。ベースコネクタ２０１のコンタクト２０２ｂにはまたタップ選択用ケーブル６の芯線の一端が接続されている。タップ選択用ケーブル６は、熱収縮チューブ２０４からなる絶縁被覆を液密に貫通した状態で外部に導出されて、タップ選択用コネクタ５に接続れている。熱収縮チューブ２０４の、タップ引出し線３１ないし３５及びタップ選択用ケーブル６が貫通した部分は、接着剤の塗布などによりシールされている。
【００３４】
タップ側コネクタ４１ないし４５及びタップ選択用コネクタ５は、手操作により接続及び切り離しを行うことができる、雄雌の関係にあるコネクタで、タップ選択用コネクタ５をタップ側コネクタ４１ないし４５のいずれにも接続することができるように、タップ選択用ケーブル６の長さが設定されている。本実施形態では、タップ側コネクタ４１ないし４５が雌型のコネクタからなり、タップ選択用コネクタ５が雄型のコネクタからなっているが、タップ側コネクタ４１ないし４５を雄型のコネクタとし、タップ選択用コネクタ５を雌型のコネクタとしてもよい。
【００３５】
図２において、２１０はアンテナを自動車等の車体に取り付ける取付具である。この取付具は、自動車等の車体に適宜の手段により固定される絶縁樹脂製の支持板２１０ａと、支持板２１０ａに固定されたアース板２１０ｂとを備えていて、アース板２１０ｂにアンテナサポート用コネクタ２０１が取り付けられている。
【００３６】
アンテナサポート用コネクタ２０１は、アース板２１０ｂに電気的及び機械的に接続されたコネクタシェル２０１ａと、コネクタシェル２０１ａの内側に、該シェルに対して絶縁された状態で設けられた雌型コンタクト２０１ｂとを備えていて、ベースコネクタ２０２のシェル２０２ａの内周の雌ネジ部と、アンテナサポート用コネクタ２０１のシェル２０１ａの外周に設けられた雄ネジ部とを螺合させることにより、両コネクタを接続することができるようになっている。
【００３７】
本実施形態のアンテナを自動車に取り付けた状態の一例を図３に示した。図３に示した例では、ワンボックス型の自動車１００の屋根のフロント部に取付具２１０が固定され、取付具２１０に設けられたアンテナサポート用コネクタにアンテナの基端部２００の下端に設けられたベースコネクタ２０２（図３には図示せず。）が接続されている。また自動車１００の屋根のリア部に支持棒２１１の下端が固定され、支持棒２１１の上端にアンテナ１の他端が固定されている。
【００３８】
上記の実施形態では、短縮コイル２に設けられたタップ２１〜２５の中から選択した一つのタップを短縮コイル２の他端（給電点）２ｂに接続するようにタップ選択用接続手段７を設けたが、短縮コイルに設けられた複数のタップの中から選択した一つのタップを短縮コイル２の一端２ａに接続するようにタップ選択用接続手段７を設けることもできる。図４はこのようにタップ選択用接続手段を設けた本考案の実施形態を示したものである。この実施形態では、短縮コイル２の一端２ａにタップ選択用ケーブル６を通してタップ選択用コネクタ５が接続されている。この例では、使用する周波数帯域をより低くする際に選択するタップを、周波数帯域を高くする際に選択するタップよりも短縮コイル２の一端２ａ寄りに位置させて設けている。即ちタップ４１ないし４５を短縮コイル２の一端２ａ側から他端２ｂ側に順に並べて設けている。
【００３９】
図２に示した実施形態では、短縮コイル２に設けられたタップ２１ないし２５をそれぞれ熱収縮チューブ２０４からなる絶縁被覆を液密に貫通した５本のタップ引出し線３１ないし３５を通して外部に引き出して、タップ側コネクタ４１ないし４５に接続しているが、図５に示したように、熱収縮チューブからなる絶縁被覆に添わせた状態で配置されて心棒２０３にネジ２２１等により固定された絶縁性の端子板２２０を設けて、この端子板２２０にタップ側コネクタ４１ないし４５を取り付けるようにしてもよい。図示の例では、タップ側コネクタ４１ないし４５が端子板２２０を貫通した状態で設けられて、該端子板２２０に接着等の適宜の手段により固定されている。短縮コイル２に設けられたタップ２１ないし２５はそれぞれ、熱収縮チューブ２０４からなる絶縁被覆を貫通した接続導体（図示せず。）を通してタップ側コネクタ４１ないし４５に接続されている。短縮コイル２の他端２ｂに一端が接続されたタップ選択用ケーブル６は、端子板２２０を貫通して外部に導出されて、タップ選択用コネクタ５に接続されている。
【００４０】
図６は本考案の他の実施形態を示したもので、この例では、端子板２２０を貫通させて、タップ選択用ケーブル接続用コネクタ４０が設けられ、このコネクタ４０が短縮コイル２の他端２ｂに接続されている。またタップ選択用ケーブル６の一端には、コネクタ４０に接続されるコネクタ５′が接続され、タップ洗濯用ケーブル６の一端が、コネクタ５′及び４０を通して短縮コイル２の他端２ｂに接続されるようになっている。コネクタ４０及びコネクタ５′は雄雌の関係を有するものであればよいが、図示の例では、コネクタ５′が雄型のコネクタからなり、コネクタ４０が雌型のコネクタからなっている。その他の点は、図５に示した実施形態と同様である。
【００４１】
図７は、本考案の更に他の実施形態を示したもので、この実施形態では、絶縁樹脂の成形品からなる筒状の絶縁ケース２３０が設けられて、このケース内に心棒２０３及び短縮コイル２と、アンテナ１の短縮コイル２寄りの端部と、ベースコネクタ２０２とが挿入されている。この例では、タップ側コネクタ４１ないし４５が絶縁ケース２３０の周壁部を貫通した状態で設けられて該ケース２３０に対して固定され、短縮コイル２に設けられたタップ２１ないし２５がそれぞれ、絶縁ケース２３０の内側でタップ側コネクタ４１ないし４５に接続されている。絶縁ケース２３０にはまた、短縮コイル２の他端２ｂに接続されたタップ選択用ケーブル接続用コネクタ４０が取り付けられ、タップ選択用ケーブル６の一端に接続されたコネクタ５′がタップ選択用ケーブル接続用コネクタ４０に接続されるようになっている。
【００４２】
上記の各実施形態では、アンテナ１が柔軟性を有する電線からなるワイヤアンテナからなっているが、アンテナ１は線状のアンテナであればよく、ワイヤアンテナに限らない。アンテナ１としては例えば自立性を有する線状体からなるホイップアンテナを用いてもよい。また絶縁樹脂製の柔軟性を有するロッド内に線状の導体を埋設した構造のアンテナを用いることもできる。
【００４３】
上記の各実施形態では、短縮コイルに５個のタップを設けているが、本考案においては、短縮コイル２に１以上のタップが設けられていれば良く、短縮コイルに設けるタップの数は任意である。
【００４４】
上記の各実施形態では、心棒２０３の上端にアンテナ１の一端を固定するとしたが、アンテナ１の一端を、アンテナ装置の基端部２００の上端に着脱自在に接続する構造にしてもよい。例えば、絶縁被覆を熱収縮チューブにより構成する場合には、心棒２０３の上端を絶縁被覆から上方に突出させた状態で設けて、心棒３０３の上端にアンテナ１の一端を着脱可能に接続する接続部を設けることができる。また図７に示したように、絶縁ケース２３０内に短縮コイルを収容する場合には、絶縁ケース２３０の上端にアンテナ１の一端を着脱可能に接続する接続部を取り付けることができる。
【産業上の利用可能性】
【００４５】
本考案は、モービル用無線通信機器の産業分野で広く利用することができる。
【符号の説明】
【００４６】
１  アンテナ
２  短縮コイル
２１〜２５  タップ
３１〜３５  タップ引出線
４１〜４５  タップ側コネクタ
５  タップ選択用コネクタ
６  タップ選択用ケーブル
７  タップ選択用接続手段
２０３  心棒
２０４  熱収縮チューブ
２０１  アンテナサポート用コネクタ
２０２  ベースコネクタ
２３０  絶縁ケース
【図１】
0003177459.tif 000003
【図２】
0003177459.tif 000004
【図３】
0003177459.tif 000005
【図４】
0003177459.tif 000006
【図５】
0003177459.tif 000007
【図６】
0003177459.tif 000008
【図７】
0003177459.tif 000009